(57)【要約】【課題】複数の精算装置を設置する精算所のスペースユーティリティの向上を図る手段を提供する。【解決手段】第１の釣銭機を搭載する第１の凹部と、第２の釣銭機を搭載する第２の凹部と、を備えた筺体であって、前記第１の凹部の開口部が形成された操作面と前記第２の凹部の開口部が形成された操作面との挟み角を９０度とし、前記第１の凹部と前記第２の凹部とを、上下方向で異なる高さに配置する。【選択図】        図２
2017138891.tif 000002
【特許請求の範囲】
【請求項１】
第１の釣銭機を搭載する第１の凹部と、第２の釣銭機を搭載する第２の凹部と、を備えた筺体であって、
前記第１の凹部の開口部が形成された操作面と前記第２の凹部の開口部が形成された操作面との挟み角を９０度とし、
前記第１の凹部と前記第２の凹部とを、上下方向で異なる高さに配置したことを特徴とする筐体。
【請求項２】
請求項１に記載の筐体において、
前記第１の凹部を、前記第２の釣銭機より高い位置に配置したことを特徴とする筐体。
【請求項３】
請求項１に記載の筐体において、
前記第１および第２の釣銭機は、それぞれ硬貨投入口を有し、
前記それぞれの硬貨投入口の上方に切欠部を設けたことを特徴とする筐体。
【請求項４】
請求項１ないし請求項３のいずれか一項に記載の筐体に搭載された、第１の釣銭機を有する精算装置と、第２の釣銭機を有する精算装置と、
前記精算装置で精算する購入代金を算出する登録装置と、を備えた精算所であって、
前記登録装置を登録カウンタに設置すると共に、前記筐体に搭載された精算装置を前記登録カウンタから離れた位置に配置し、
前記筐体の、前記第１の凹部の開口部が形成された操作面と前記第２の凹部の開口部が形成された操作面とを、前記登録カウンタに対して４５度に傾けて設置したことを特徴とする精算所。
【発明の詳細な説明】
【技術分野】
【０００１】
本発明は、商品の購入代金の精算に用いる精算装置を搭載する筐体およびそれを備えた精算所に関する。
【背景技術】
【０００２】
従来の登録装置と精算装置とを備えた精算所は、商品の購入代金を精算する精算装置を、登録装置から離れた位置に複数並べて設置している（例えば、特許文献１参照。）。
【先行技術文献】
【特許文献】
【０００３】
【特許文献１】特開２０１２−１６４１３７号公報（段落００２１、第１図）
【発明の概要】
【発明が解決しようとする課題】
【０００４】
しかしながら、上述した従来の技術においては、登録装置から離れた位置に精算装置を複数並べて設置しているため（図７参照）、精算装置を設置するスペースを確保する必要があり、結果として売場面積を狭くしなければならないという問題がある。
本発明は、上記の問題点を解決するためになされたもので、複数の精算装置を設置する精算所のスペースユーティリティの向上を図る手段を提供することを目的とする。
【課題を解決するための手段】
【０００５】
本発明は、上記課題を解決するために、第１の釣銭機を搭載する第１の凹部と、第２の釣銭機を搭載する第２の凹部と、を備えた筺体であって、前記第１の凹部の開口部が形成された操作面と前記第２の凹部の開口部が形成された操作面との挟み角を９０度とし、前記第１の凹部と前記第２の凹部とを、上下方向で異なる高さに配置したことを特徴とする。
【発明の効果】
【０００６】
これにより、本発明は、精算装置を並列に設置した場合に比べて、精算装置の設置面積を狭くすることができ、精算所のスペースユーティリティを向上させることができるという効果が得られる。
【図面の簡単な説明】
【０００７】
【図１】実施例のレジ精算システムを示すブロック図
【図２】実施例の筐体に搭載した精算装置を示す斜視図
【図３】実施例の精算所を示す上面図
【図４】実施例の筐体を示す斜視図
【図５】実施例の筐体を示す３面図（（ａ）上面図（ｂ）正面図（ｃ）右側面図）
【図６】実施例の筐体に搭載した精算装置を示す３面図（（ａ）上面図（ｂ）正面図（ｃ）右側面図））
【図７】従来の精算所を示す上面図
【発明を実施するための形態】
【０００８】
以下に、図面を参照して本発明によるレジ精算システムの精算装置を搭載する筐体の実施例について説明する。
【実施例】
【０００９】
以下に、図１ないし図６を用いて本実施例の精算装置を搭載する筐体について説明する。
本実施例の精算所に設けられるレジ精算システムは、スーパーマーケットやホームセンタ等の小売業の店舗の精算所等に設置され、図１に示すように、顧客が購入した商品の代金を計数してレシートを発行する登録装置１と、顧客自身が購入した全ての商品の購入金額の総額（購入総額、購入代金ともいう。）を支払う精算装置２と、をＬＡＮ（Ｌｏｃａｌ  Ａｒｅａ  Ｎｅｔｗｏｒｋ）等の店内ネットワーク３を介して接続して構成される。
【００１０】
このような精算所においては、精算装置２は、登録装置１から離れた位置に設置され、精算を待つ顧客の待ち時間を短縮するために、１台の登録装置１に対して１．５〜２台（本実施例では２台）の精算装置２が設置される。
本実施例の登録装置１は、店舗の店員が操作して顧客が購入した全商品の購入金額等を算出する機能等を有しており、登録制御部１１、記憶部１２、操作表示部１３、バーコードスキャナ１４、レシート発行部１５等により構成される。
【００１１】
登録制御部１１は、登録装置１内の各部を制御して、顧客が購入した商品の商品名を読取り、その単価を読出して購入金額を算出すると共に、当該購入金額の精算後に当該金額を売上額として登録する登録処理等を実行する機能等を有している。
記憶部１２は、登録制御部１１が実行する登録処理プログラムや、それに用いる各種のデータおよび登録制御部１１による処理結果等が格納される。
【００１２】
操作表示部１３は、ＬＣＤ等の表示画面とタッチパネル等の入力手段等を備えており、表示画面に顧客が購入した商品の商品名とその単価、および購入した全商品の購入総額等を表示する機能を有すると共に、入力手段により店員による購入数等の入力を受付ける機能等を有している。
バーコードスキャナ１４は、店員がかざした商品に印刷されたバーコードを読取り、読取結果を登録制御部１１へ送出する機能等を有している。
【００１３】
レシート発行部１５は、感熱式等の印刷ヘッドを備えており、レシートに購入商品の内容等を印刷すると共に、購入商品の購入総額等を１次元コードまたは２次元コード等のバーコードで印刷してレシート発行口から発行する機能等を有している。
本実施例のレシートには、取引通番、購入総額、登録装置１の識別子としての識別番号等を暗号化したバーコードが印刷される。
【００１４】
上記した記憶部１２には、店舗の売場に陳列された各商品の商品名別の単価表等が予め格納される他、取引通番に対応させて、売上額と、当該取引における顧客が購入した全ての商品の単価、購入数、購入額および購入総額等からなる購入品リストとを格納する売上登録エリアが確保されている。
本実施例の精算装置２は、顧客が操作して購入代金を精算する機能等を有しており、図１、図２に示すように、精算制御部２１、記憶部２２、表示部２３、バーコードスキャナ２４、カードリーダ２５、印刷部２６、釣銭機２７等により構成される。
【００１５】
精算制御部２１は、精算装置２内の各部を制御して、顧客が投入した現金（紙幣および硬貨）を受入れ、投入金額から購入金額を減算し、その差額を釣銭として顧客に返却する精算処理等を実行する機能等を有している。
記憶部２２は、精算制御部２１が実行する精算処理プログラムや、それに用いる各種のデータおよび精算制御部２１による処理結果等が格納される。
【００１６】
表示部２３は、ＬＣＤ等の表示画面等を備えており、表示画面に購入総額である支払額や、投入額、釣銭額等を表示する機能等を有している。
バーコードスキャナ２４は、顧客がかざしたレシートに印刷されたバーコードを読取り、読取結果を精算制御部２１へ送出する機能等を有している。
【００１７】
カードリーダ２５は、カード挿入口２５ａから挿入された顧客のデビットカードやクレジットカード等のカードの磁気ストライプやＩＣチップ等に記録されている顧客の口座情報等のカード情報を読取ると共に、挿入されたカードをカード挿入口２５ａから排出して顧客に返却する機能等を有している。
印刷部２６は、感熱式等の印刷ヘッドを備えており、購入代金の領収書を用紙に印刷して排出口２６ａから排出する機能等を有している。また、本実施例の印刷部２６はカードリーダ２５に内蔵されている。
【００１８】
釣銭機２７は、紙幣入出金部２８および硬貨入出金部２９を備えており、購入代金の精算時に、顧客が紙幣入出金口２８ａおよび／もしくは硬貨投入口２９ａに投入した現金を受入れ、これを鑑別および計数して紙幣収納庫および／もしくは硬貨収納庫に収納し、釣銭を要する場合に、釣銭を構成する紙幣および／もしくは硬貨をそれぞれの収納庫から繰出して計数し、これを紙幣入出金口２８ａおよび／もしくは硬貨排出口２９ｂに集積して顧客に返却する機能等を有している。
【００１９】
また、硬貨入出金部２９には、硬貨投入口２９ａに投入された硬貨に含まれる、購入代金の精算には用いることができない硬貨やクリップ等の異物を顧客に返却する異物返却口２９ｃが設けられている。
本実施例の精算所においては、図３に示すように、登録装置１から離れた位置で登録カウンタの近傍に、同一の機能を有する２台の精算装置２が、１つの筐体３０に搭載されて設置され、その筐体３０には、それぞれの精算装置２で操作を行う顧客のショッピングバスケット等を載置する荷物台３１が設けられている。
【００２０】
また、本実施例の２台の精算装置２を搭載した筐体３０は、上面視で矩形に形成され、図２に示すように、隣合う２つの側面を顧客が精算装置２を操作する側の面（操作面３２ａ、３２ｂという。）として、それらの挟み角を９０度とし、その頂部を登録装置１が設置された登録カウンタ側に向け、登録カウンタの長手方向に対して挟み角を４５度等配にして設置される。
【００２１】
なお、本実施例の精算所においては、顧客は、必ずしもレシートを発行した登録装置１の直近の２台の精算装置２へ移動する必要はなく、設置されている精算装置２（図３の例では４台）の中で空いている精算装置２に移動して精算操作を行うことができる。
本実施例の筐体３０は、図４、図５に示すように、鋼板等の板材により上面視で矩形に形成され、その上面３３は、２つの表示部２３の載置台として機能し、それぞれの表示面を操作面３２ａ、３２ｂ側に向けた２つの表示部２３が９０度異なる方向に載置される（図２、図６参照）。
【００２２】
本実施例の筺体３０の２つの操作面３２ａ、３２ｂの最上部には、それぞれバーコードスキャナ２４およびカードリーダ２５からなる情報ユニットを搭載する凹部である情報ユニット搭載部３５ａ、３５ｂが、それぞれの開口部を操作面３２ａ、３２ｂ側に向けて形成されている。
【００２３】
また、筺体３０の操作面３２ａの情報ユニット搭載部３５ａの下方には、第１の釣銭機２７ａを搭載する第１の凹部としての釣銭機搭載部３６ａ（図６参照）が開口部を操作面３２ａ側に向けて形成され、操作面３２ｂの情報ユニット搭載部３５ｂの下方には、第２の釣銭機２７ｂを搭載する第２の凹部としての釣銭機搭載部３６ｂが開口部を操作面３２ａ側に向けて形成されている。
【００２４】
本実施例の釣銭機搭載部３６ａと３６ｂは、１枚の棚板３７を挟んで上下に配置され、釣銭機搭載部３６ａは棚板３７の上方に、釣銭機搭載部３６ｂは下方に配置される。
これにより、釣銭機２７ａは棚板３７上に搭載され、釣銭機２７ｂは釣銭機搭載部３６ｂを形成する底板３８上に搭載され、図６に示すように、２つの釣銭機２７の、硬貨の顧客操作部（後述）を除く硬貨搬送収納機構等が設けられた主機部が、上下に重ねられた状態で筐体３０に搭載される。
【００２５】
本実施例の筐体３０の、それぞれの釣銭機２７ａ、２７ｂの硬貨投入口２９ａ、硬貨排出口２９ｂ、異物返却口２９ｃからなる硬貨の顧客操作部の上方には、図４〜図６に示すように、それぞれ切欠部３９が形成されている。
なお、本実施例のバーコードスキャナ２４、カードリーダ２５、釣銭機２７等の各ユニットは、保守作業を容易に行うことができるように、各操作面３２から手前側に引出し可能に搭載されている。
【００２６】
以下に、本実施例のレジ精算システムが設けられた精算所における登録装置１、精算装置２等の処理動作について図３を用いて説明する。
売場での買い物を終えた顧客は、購入商品を持参して登録カウンタへ移動し、購入商品を店員に手渡すと、登録装置１を操作する店員は、各商品に印刷されたバーコードを順次にバーコードスキャナ１４にかざしてバーコードを登録装置１に読取らせる。
また、店員は、必要に応じて操作表示部１３の入力手段により同一商品の購入数の入力や、バーコードが印刷されていない商品の商品名等の選択入力等を行う。
【００２７】
バーコードスキャナ１４によるバーコードの検知等を待って待機していた登録装置１の登録制御部１１は、バーコードスキャナ１４によってバーコードを読取ると、バーコードを解読して当該商品の商品名を認識し、記憶部１２の商品名別の単価表を参照して当該商品の単価を読出す。このとき、店員による商品名の選択入力が行われた場合は、その商品名を基に商品名別の単価表から当該商品の単価を読出す。
【００２８】
当該商品の単価を読出した登録制御部１１は、次の商品のバーコードを読取った場合は、先に読取った商品の購入数を「１」とし、店員による購入数の入力があった場合は、その入力値を購入数として購入額を算出し、認識した商品名に対応させてその単価と購入数、購入額等を記憶部１２に一時保存する。
【００２９】
このような処理動作を繰返し行った後に、店員が操作表示部１３によって入力終了操作を行うと、これを認識した登録制御部１１は、記憶部１２に一時保存した商品名に対応させた単価と購入数、購入額等を全て読出し、読出した購入額を合算して購入総額を算出して取引通番を採番し、記憶部１２の売上登録エリアに取引通番に対応させて、顧客が購入した商品の購入品リストを格納する。
【００３０】
そして、登録制御部１１は、購入品リストの印刷データを生成すると共に取引通番と購入総額、登録装置１の識別番号等を暗号化したバーコードの印刷データを生成し、生成した印刷データをレシート発行部１５に送って購入品リストとバーコードを印刷したレシートを発行する。
レシートが発行されると、店員は、当該レシートを顧客に手渡し、近傍に設置されたいずれかの精算装置２へ移動してレシートに印刷されたバーコードを精算装置２のバーコードスキャナ２４にかざして購入代金の精算を行うよう指示し、レシートを受取った顧客は、空いている精算装置２へ移動する。
【００３１】
このとき、本実施例の２台の精算装置２を搭載した筐体３０は、挟み角を９０度とした２つの操作面３２ａ、３２ｂの頂部を、登録カウンタ側に向け、登録カウンタの長手方向に対して４５度に傾けて設置されているので、２台の精算装置２の各釣銭機２７の主機部を上下に重ねて９０度方向に配置した場合であっても、レシートを受取った顧客は、レシートを受取ると、一目で空いている精算装置２を特定することができる。
【００３２】
また、本実施例の２台の精算装置２を搭載した筐体３０は、レシートを受取った顧客の動線に対して４５度に傾けて設置されているので、レシートを受取った顧客は、レシートを受取ると直ぐに特定した精算装置２へ移動することができる。
更に、本実施例の精算所においては、１台の登録装置１に対して２台の精算装置が設置されているので、購入代金の精算を行う顧客の混雑を緩和して、精算待ちの時間を短縮することが可能になる。
【００３３】
特定した精算装置２へ移動した顧客が、精算装置２のバーコードスキャナ２４に、レシートに印刷されたバーコードをかざすと、これを検知した精算装置２の精算制御部２１は、バーコードスキャナ２４によってバーコードを読取り、バーコードを解読して取引通番と購入総額、レシートを発行した登録装置１の識別番号を認識し、認識した購入総額を支払額として表示部２３に表示する。
【００３４】
顧客は、表示された支払額を確認して、紙幣入出金口２８ａおよび／もしくは硬貨投入口２９ａに現金を投入する。
この場合に、本実施例の精算装置２は、デビットカードやクレジットカード等のカードのカード情報を読取るカードリーダ２５を有しているので、支払額の精算をカード決済とすることも可能である。
【００３５】
現金の投入を検知した精算制御部２１は、投入された現金を鑑別、計数し、その合計額である投入額が支払額を満たさない場合は、更なる現金の投入を待って待機し、投入額が支払額以上の場合は、投入された現金の投入額や支払額、釣銭額を表示部２３に表示すると共に、投入された現金をそれぞれの収納庫に収納する。
また、釣銭が必要な場合は、釣銭を構成する現金をそれぞれの収納庫から繰出し、計数後に、紙幣入出金口２８ａおよび／もしくは硬貨排出口２９ｂに集積して顧客に返却する。
【００３６】
このとき、本実施例の筐体３０は、２つの操作面３２ａ、３２ｂの側にそれぞれ切欠部３９が形成され、硬貨投入口２９ａ、硬貨排出口２９ｂ等の硬貨の顧客操作部の上方が空間となっているので、硬貨投入口２９ａへの硬貨の投入、硬貨排出口２９ｂ等からの硬貨の取出しが容易になり、顧客が硬貨を取扱う場合における操作性を向上させることができる。
投入された現金の収納、必要に応じて釣銭の返却を終えた精算制御部２１は、印刷部２６によって、取引通番、投入された現金の投入額、釣銭額および支払額を印刷した購入代金の領収書を印刷して排出口２６ａから排出し、顧客は排出された領収書を受取る。
【００３７】
精算制御部２１は、顧客による領収書の受取を確認すると、取引通番、支払額等からなる支払終了通知を、店内ネットワーク３を介して、バーコードにより認識した識別番号の登録装置１に対して送信し、今回の精算処理を終了させる。
一方、支払終了通知を受信した登録装置１の登録制御部１１は、取引通番を基に、記憶部１２の売上登録エリアを検索し、該当する取引通番の格納エリアに、受信した支払額を売上額として格納する。
【００３８】
以上説明したように、本実施例では、筐体３０に、挟み角を９０度とした２つの操作面３２を設け、それらの操作面３２に形成した釣銭機搭載部３６に、２台の精算装置２の各釣銭機２７の主機部を上下に重ねた状態で搭載したので、図３に示すように、複数の精算装置２（図３の例では、４台）を精算所に設置した場合に、図７に示す４台の精算装置２を並列に設置した場合に比べて、４台の精算装置２の設置面積を狭くすることができ、精算所のスペースユーティリティを向上させることができると共に、売場面積の確保を容易とすることができる。
【００３９】
また、２台の精算装置２を搭載した筐体３０の隣合う２つの操作面３２ａ、３２ｂの挟み角を９０度とし、その頂部を登録カウンタ側に向け、登録カウンタの長手方向に対して４５度に傾けて設置したので、精算装置２を並列に設置した場合に比べて、精算操作中の顧客の背後を通り抜けることが容易になり、精算装置２へ移動する顧客の動線の短縮化を図ることができると共に、精算操作中の顧客の背後に余裕スペースを設ける必要がなくなり、売場面積の確保を更に容易とすることができる。
【００４０】
なお、上記実施例においては、第１の凹部である釣銭機搭載部３６ａと第２の凹部である釣銭機搭載部３６ｂは１枚の棚板３７を挟んで上下に配置するとして説明したが、棚板３７を２枚に分割し、一方を第２の凹部の天板とし、他方を第１の凹部の底板として、第２の凹部を形成する底板３８上に搭載された釣銭機２７ｂが挿入可能な位置、つまり釣銭機２７ｂの主機部の高さより高い位置に、第１の凹部の底板の下面を設けるようにしてもよい。
【００４１】
また、上記実施例においては、２つの情報ユニット搭載部３５ａ、３５ｂは、筺体３０の２つの操作面３２ａ、３２ｂの最上部に設けるとして説明したが、情報ユニット搭載部３５は釣銭機搭載部３６の下方に設けるようにしてもよい。要は、上下に重ねて搭載する釣銭機２７の主機部の挿入を妨げない位置であれば、どこに設けるようにしてもよい。
【００４２】
更に、上記実施例においては、購入総額をバーコードで印刷したレシートを精算装置２が読取って購入代金の精算処理を行うとして説明したが、登録装置１が購入総額を算出したときに、操作表示部１３に顧客が購入代金の精算を行う精算装置２の機番の指定を促す画面を表示し、店員が空いている精算装置２を指定すると、登録制御部１１は、その機番の精算装置に対して取引通番、購入総額、自機の識別番号を送信し、店員が購入品リストを印刷した通常のレシートを顧客に手渡すときに、顧客が精算を行う精算装置２を指定するようにしてもよい。
【００４３】
更に、上記実施例においては、精算装置２に表示部２３を設けるとして説明したが、精算装置２に、表示部２３に替えて登録装置１と同様の操作表示部を設け、精算制御部２１が投入された現金の投入額等を表示するときに、投入額と支払額、釣銭額、「確認」ボタンを表示し、顧客が「確認」ボタンを押下した後に、投入された現金をそれぞれの収納庫に収納するようにしてもよい。
【００４４】
更に、上記実施例においては、２台の精算装置２を筐体３０の挟み角を９０度とした隣合う２つの操作面３２ａ、３２ｂ側に搭載するとして説明したが、２台の精算装置２を対向する２つの側面、つまり１８０度方向に重ねて搭載するようにしてもよく、４つの側面に４台の精算装置２の釣銭機２７の主機部を重ねて搭載するようにしてもよい。
【符号の説明】
【００４５】
１    登録装置
２    精算装置
３    店内ネットワーク
１１  登録制御部
１２、２２  記憶部
１３  操作表示部
１４、２４  バーコードスキャナ
１５  レシート発行部
２１  精算制御部
２３  表示部
２５  カードリーダ
２５ａ  カード挿入口
２６  印刷部
２６ａ  排出口
２７  釣銭機
２８  紙幣入出金部
２８ａ  紙幣入出金口
２９  硬貨入出金部
２９ａ  硬貨投入口
２９ｂ  硬貨排出口
２９ｃ  異物返却口
３０  筐体
３１  荷物台
３２、３２ａ、３２ｂ  操作面
３３  上面
３５、３５ａ、３５ｂ  情報ユニット搭載部
３６、３６ａ、３６ｂ  釣銭機搭載部
３７ａ  棚板
３８  底板
３９  切欠部
【図１】
2017138891.tif 000003
【図２】
2017138891.tif 000004
【図３】
2017138891.tif 000005
【図４】
2017138891.tif 000006
【図５】
2017138891.tif 000007
【図６】
2017138891.tif 000008
【図７】
2017138891.tif 000009